【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
複数の画像形成装置のうちの１つ、および使用者毎の前記複数の画像形成装置の使用を管理する管理サーバと通信可能であり、前記複数の画像形成装置のうちの１つの使用の可否を管理する管理装置であって、
前記管理装置に接続可能な記録媒体に記憶されている使用者を識別するための識別情報を読み出す読み出し手段と、
読み出した前記識別情報に対応する前記複数の画像形成装置の使用を停止するか否かを示す停止情報を前記管理サーバから取得する取得手段と、
前記取得手段が前記識別情報に対応する前記停止情報を取得した後に前記複数の画像形成装置の使用の停止が選択された場合、又は、前記複数の画像形成装置の使用の再開が選択された場合に、前記管理サーバが保持している停止情報を更新する更新手段と、
前記停止情報が使用の停止を表す場合に当該識別情報に対応する使用者の指示に基づく画像形成を制限し、前記停止情報が使用の停止を表さない場合に当該識別情報に対応する使用者の指示に基づく画像形成を許可する使用制限手段と、
を備えることを特徴とする管理装置。
【請求項２】
前記使用制限手段は、前記停止情報が使用の停止を表す場合に前記複数の画像形成装置の使用を禁止することを特徴とする請求項１に記載の管理装置。
【請求項３】
前記使用制限手段は、前記停止情報が使用の停止を表す場合に使用者が使用している画像形成装置と異なる他の画像形成装置の使用を禁止することを特徴とする請求項１に記載の管理装置。
【請求項４】
前記使用制限手段は、前記画像形成装置ごとの停止情報に従って画像形成装置の使用を禁止することを特徴とする請求項１に記載の管理装置。
【請求項５】
前記記録媒体はさらに、前記画像形成装置の使用を制限するための使用制限情報を記憶し、
前記更新手段は前記停止情報を更新するとともに、前記記録媒体に記憶されている使用制限情報を更新することを特徴とする請求項１乃至４の何れか１項に記載の管理装置。
【請求項６】
複数の画像形成装置と、前記複数の画像形成装置のうちの１つの使用の可否を管理する管理装置と、使用者毎の前記複数の画像形成装置の使用を管理する管理サーバとを備える画像形成システムであって、
前記管理サーバは、
使用者毎に割り当てられた固有の識別情報に対応して、前記複数の画像形成装置の使用を停止するか否かを表す停止情報を記憶する記憶手段を備え、
前記管理装置は、
前記管理装置に接続可能な記録媒体に記憶されている使用者を識別するための識別情報を読み出す読み出し手段と、
読み出した前記識別情報に対応する前記停止情報を前記記憶手段から取得する取得手段と、
前記取得手段が前記識別情報に対応する前記停止情報を取得した後に前記複数の画像形成装置の使用の停止が選択された場合、又は、前記複数の画像形成装置の使用の再開が選択された場合に、前記記憶手段に記憶されている停止情報を更新する更新手段と、
前記記憶手段に記憶されている停止情報が使用の停止を表す場合に当該識別情報に対応する使用者の指示に基づく画像形成を制限し、前記停止情報が使用の停止を表さない場合に当該識別情報に対応する使用者の指示に基づく画像形成を許可する使用制限手段と、
を備えることを特徴とする画像形成システム。
【請求項７】
複数の画像形成装置のうちの１つ、および使用者毎の前記複数の画像形成装置の使用を管理する管理サーバと通信可能であり、前記複数の画像形成装置のうちの１つの使用の可否を管理する管理装置の制御方法であって、
前記管理装置に接続可能な記録媒体に記憶されている使用者を識別するための識別情報を読み出し手段によって読み出すステップと、
読み出した前記識別情報に対応する前記複数の画像形成装置の使用を停止するか否かを示す停止情報を前記管理サーバから取得手段によって取得するステップと、
前記取得するステップにおいて前記識別情報に対応する前記停止情報が取得された後に前記複数の画像形成装置の使用の停止が選択された場合、又は、前記複数の画像形成装置の使用の再開が選択された場合に、前記管理サーバが保持している停止情報を更新手段によって更新するステップと、
前記停止情報が使用の停止を表す場合に当該識別情報に対応する使用者の指示に基づく画像形成を使用制限手段によって制限し、前記停止情報が使用の停止を表さない場合に当該識別情報に対応する使用者の指示に基づく画像形成を使用制限手段によって許可するステップと、を実行することを特徴とする制御方法。
【請求項８】
請求項７に記載の管理装置の制御方法をコンピュータに実行させるコンピュータプログラム。
【手続補正２】
【補正対象書類名】明細書
【補正対象項目名】発明の名称
【補正方法】変更
【補正の内容】
【発明の名称】管理装置、その制御方法、コンピュータプログラム、及び画像形成システム
【手続補正３】
【補正対象書類名】明細書
【補正対象項目名】０００１
【補正方法】変更
【補正の内容】
【０００１】
本発明は、複数の画像形成装置が接続された管理装置、その制御方法、コンピュータプログラム、及び画像形成システムに関する。
【手続補正４】
【補正対象書類名】明細書
【補正対象項目名】０００５
【補正方法】変更
【補正の内容】
【０００５】
本発明は、上述の問題に鑑みて成されたものであり、ネットワークに接続された複数の画像形成装置の使用を識別情報ごとに停止させることが可能な管理装置、その制御方法、コンピュータプログラム、及び画像形成システムを提供することを目的とする。
【手続補正５】
【補正対象書類名】明細書
【補正対象項目名】０００６
【補正方法】変更
【補正の内容】
【０００６】
本発明は、例えば、複数の画像形成装置のうちの１つ、および使用者毎の複数の画像形成装置の使用を管理する管理サーバと通信可能であり、複数の画像形成装置のうちの１つの使用の可否を管理する管理装置として実現できる。管理装置は、管理装置に接続可能な記録媒体に記憶されている使用者を識別するための識別情報を読み出す読み出し手段と、読み出した識別情報に対応する複数の画像形成装置の使用を停止するか否かを示す停止情報を管理サーバから取得する取得手段と、取得手段が識別情報に対応する停止情報を取得した後に複数の画像形成装置の使用の停止が選択された場合、又は、複数の画像形成装置の使用の再開が選択された場合に、管理サーバが保持している停止情報を更新する更新手段と、停止情報が使用の停止を表す場合に当該識別情報に対応する使用者の指示に基づく画像形成を制限し、停止情報が使用の停止を表さない場合に当該識別情報に対応する使用者の指示に基づく画像形成を許可する使用制限手段と、
を備えることを特徴とする。
【手続補正６】
【補正対象書類名】明細書
【補正対象項目名】０００７
【補正方法】変更
【補正の内容】
【０００７】
また、本発明は、例えば、複数の画像形成装置と、複数の画像形成装置のうちの１つの使用の可否を管理する管理装置と、使用者毎の複数の画像形成装置の使用を管理する管理サーバとを備える画像形成システムとして実現できる。管理サーバは、使用者毎に割り当てられた固有の識別情報に対応して、複数の画像形成装置の使用を停止するか否かを表す停止情報を記憶する記憶手段を備え、管理装置は、管理装置に接続可能な記録媒体に記憶されている使用者を識別するための識別情報を読み出す読み出し手段と、読み出した識別情報に対応する停止情報を記憶手段から取得する取得手段と、取得手段が識別情報に対応する停止情報を取得した後に複数の画像形成装置の使用の停止が選択された場合、又は、複数の画像形成装置の使用の再開が選択された場合に、記憶手段に記憶されている停止情報を更新する更新手段と、記憶手段に記憶されている停止情報が使用の停止を表す場合に当識別情報に対応する使用者の指示に基づく画像形成を制限し、停止情報が使用の停止を表さない場合に当識別情報に対応する使用者の指示に基づく画像形成を許可する使用制限手段と、を備えることを特徴とする。
【手続補正７】
【補正対象書類名】明細書
【補正対象項目名】０００８
【補正方法】変更
【補正の内容】
【０００８】
また、本発明は、例えば、複数の画像形成装置のうちの１つ、および使用者毎の複数の画像形成装置の使用を管理する管理サーバと通信可能であり、複数の画像形成装置のうちの１つの使用の可否を管理する管理装置の制御方法として実現できる。制御方法は、管理装置に接続可能な記録媒体に記憶されている使用者を識別するための識別情報を読み出し手段によって読み出すステップと、読み出した識別情報に対応する複数の画像形成装置の使用を停止するか否かを示す停止情報を管理サーバから取得手段によって取得するステップと、取得するステップにおいて識別情報に対応する停止情報が取得された後に複数の画像形成装置の使用の停止が選択された場合、又は、複数の画像形成装置の使用の再開が選択された場合に、管理サーバが保持している停止情報を更新手段によって更新するステップと、停止情報が使用の停止を表す場合に当識別情報に対応する使用者の指示に基づく画像形成を使用制限手段によって制限し、停止情報が使用の停止を表さない場合に当識別情報に対応する使用者の指示に基づく画像形成を使用制限手段によって許可するステップと、を実行することを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１１
【補正方法】変更
【補正の内容】
【００１１】
本発明は、例えば、ネットワークに接続された複数の画像形成装置の使用を識別情報ごとに停止させることが可能な管理装置、その制御方法、コンピュータプログラム、及び画像形成システムを提供できる。